(57)【特許請求の範囲】
【請求項１】
商用電源と接続され、電源投入後、所定期間の経過後から調光レベルに応じたデューティの矩形波電圧信号を調光信号線に出力する調光信号発生装置と、
各々が前記調光信号線を介して前記矩形波電圧信号を受け取り、前記調光信号発生装置によって制御される複数の固体光源点灯装置とを備え、
前記調光信号発生装置は、
前記商用電源を降圧し、降圧された電圧を全波整流および平滑化し、全波整流および平滑化された第１電圧を出力する第１回路と、
降圧された前記電圧を全波整流し、全波整流された第２電圧を出力する電圧出力回路と、
前記第１回路で出力された前記第１電圧および前記電圧出力回路で出力された前記第２電圧のいずれかを選択するＯＲ回路と、
前記ＯＲ回路で選択された電圧から矩形波電圧信号である調光信号を生成し、生成された調光信号を調光信号線に出力する第２回路とを備え、
前記ＯＲ回路は、電源投入後、前記第２電圧が前記第１電圧よりも高くなる前記所定期間である第１期間では、前記第２電圧を選択し、前記第１電圧が前記第２電圧以上となる前記所定期間の経過後の第２期間では、前記第１電圧を選択する
ことを特徴とする照明制御システム。
【請求項２】
前記第２電圧とは、消灯状態または所定の調光状態に対応する電圧であることを特徴とする請求項１記載の照明制御システム。
【請求項３】
前記所定期間は、前記調光信号線に接続される固体光源点灯装置の電源投入後の起動時間長よりも長い時間であることを特徴とする請求項１または２記載の照明制御システム。
【請求項４】
前記複数の固体光源点灯装置のそれぞれは、前記調光信号発生装置と同じ電源に接続され、
前記複数の固体光源点灯装置のそれぞれは、前記矩形波電圧信号のデューティが増大するほど暗くなるように固体光源を調光点灯させる
ことを特徴とする請求項１〜３のいずれかに記載の照明制御システム。
【請求項５】
商用電源と接続され、電源投入後、所定期間の経過後から調光レベルに応じたデューティの矩形波電圧信号を調光信号線に出力する調光信号発生装置であって、
前記商用電源を降圧し、降圧された電圧を全波整流および平滑化し、全波整流および平滑化された第１電圧を出力する第１回路と、
降圧された前記電圧を全波整流し、全波整流された第２電圧を出力する電圧出力回路と、
前記第１回路で出力された前記第１電圧および前記電圧出力回路で出力された前記第２電圧のいずれかを選択するＯＲ回路と、
前記ＯＲ回路で選択された電圧から矩形波電圧信号である調光信号を生成し、生成された調光信号を調光信号線に出力する第２回路とを備え、
前記ＯＲ回路は、電源投入後、前記第２電圧が前記第１電圧よりも高くなる前記所定期間である第１期間では、前記第２電圧を選択し、前記第１電圧が前記第２電圧以上となる前記所定期間の経過後の第２期間では、前記第１電圧を選択する
ことを特徴とする調光信号発生装置。
【請求項６】
前記第２電圧は、消灯状態または所定の調光状態に対応する電圧であることを特徴とする請求項５記載の調光信号発生装置。
【請求項７】
前記第１期間は、前記調光信号線に接続される固体光源点灯装置の電源投入後の起動時間長よりも長い時間長であることを特徴とする請求項５または６記載の調光信号発生装置。
【発明の詳細な説明】
【技術分野】
【０００１】
本発明は、発光ダイオード（ＬＥＤ）のような固体光源を点灯させる固体光源点灯装置に適した調光信号発生装置およびそれを用いた照明制御システムに関するものである。
【背景技術】
【０００２】
従来、特許文献１（特許第４，６３６，１０２号公報）によれば、装置外から供給される調光信号に応じて交流電力を直流電力に変換してＬＥＤを調光点灯させるＬＥＤ点灯装置が開示されている。この従来例では、交流電力の供給直後から所定期間の間、ＬＥＤを予め定められた調光で減光して点灯或いは消灯させるように制御し、前記所定期間の経過後、装置外から供給される調光信号に応じてＬＥＤを調光点灯させるものであった。
【０００３】
特許文献２（特開平３−５７１９６号公報）によれば、電源遮断後も暫時、調光信号を出力し続ける調光信号発生装置が従来技術（第２図参照）として開示されている。また、その改良技術として、電源遮断後は放電灯点灯装置の電源電圧が減衰する前に調光信号を遮断するように改変した調光信号発生装置が実施例（第１図参照）として開示されている。
【先行技術文献】
【特許文献】
【０００４】
【特許文献１】特許第４，６３６，１０２号公報
【特許文献２】特開平３−５７１９６号公報
【発明の概要】
【発明が解決しようとする課題】
【０００５】
特許文献１の技術では、交流電力の供給直後から所定期間の間、ＬＥＤを予め定められた調光で減光して点灯或いは消灯させるように制御できる。しかしながら、図４に示すように、複数台の点灯装置が１台の調光信号発生装置により制御される場合には、各点灯装置にそれぞれ対策回路を付加する必要があった。このため、照明制御システム全体として見た場合、コストが上昇するという問題があった。
【０００６】
特許文献２の技術では、照明制御システムの不具合を改善するために、点灯装置の側ではなく、調光信号発生装置の側を改変することが提案されている。しかしながら、電源投入時に予熱動作を必要とする放電灯点灯装置と組み合わせて使用することを前提としていたので、電源投入直後から調光信号を供給可能とするような構成ではなかった。
【０００７】
本発明はこのような点に鑑みてなされたものであり、固体光源点灯装置と組み合わせて用いた場合でも、電源投入直後に所望以上の光出力が生じないように改善された調光信号発生装置およびそれを用いた照明制御システムを提供することを課題とする。
【課題を解決するための手段】
【０００８】
請求項１の発明は、上記の課題を解決するために、図１、図２及び図４に示すように、照明制御システムが、商用電源と接続され、電源投入後、所定期間の経過後から調光レベルに応じたデューティの矩形波電圧信号を調光信号線に出力する調光信号発生装置と、各々が前記調光信号線を介して前記矩形波電圧信号を受け取り、前記調光信号発生装置によって制御される複数の固体光源点灯装置とを備え、前記調光信号発生装置は、前記商用電源を降圧し、降圧された電圧を全波整流および平滑化し、全波整流および平滑化された第１電圧を出力する第１回路と、降圧された前記電圧を全波整流し、全波整流された第２電圧を出力する電圧出力回路と、前記第１回路で出力された前記第１電圧および前記電圧出力回路で出力された前記第２電圧のいずれかを選択するＯＲ回路と、前記ＯＲ回路で選択された電圧から矩形波電圧信号である調光信号を生成し、生成された調光信号を調光信号線に出力する第２回路とを備え、前記ＯＲ回路は、電源投入後、前記第２電圧が前記第１電圧よりも高くなる前記所定期間である第１期間では、前記第２電圧を選択し、前記第１電圧が前記第２電圧以上となる前記所定期間の経過後の第２期間では、前記第１電圧を選択することを特徴とする。
【０００９】
請求項２の発明は、請求項１記載の照明制御システムにおいて、前記第２電圧とは、図２に示すように、消灯状態または所定の調光状態に対応する電圧であることを特徴とする。
【００１０】
請求項３の発明は、請求項１または２記載の照明制御システムにおいて、図２に示すように、前記所定期間（ｔ７〜ｔ９）は、前記調光信号線に接続される固体光源点灯装置２の電源投入後の起動時間長（ｔ７〜ｔ８）よりも長い時間であることを特徴とする。
【００１１】
請求項４の発明は、請求項１〜３のいずれかに記載の照明制御システムにおいて、前記複数の固体光源点灯装置のそれぞれは、前記調光信号発生装置と同じ電源に接続され、前記複数の固体光源点灯装置のそれぞれは、前記矩形波電圧信号のデューティが増大するほど暗くなるように固体光源３を調光点灯させることを特徴とする。
請求項５の発明は、商用電源と接続され、電源投入後、所定期間の経過後から調光レベルに応じたデューティの矩形波電圧信号を調光信号線に出力する調光信号発生装置であって、前記商用電源を降圧し、降圧された電圧を全波整流および平滑化し、全波整流および平滑化された第１電圧を出力する第１回路と、降圧された前記電圧を全波整流し、全波整流された第２電圧を出力する電圧出力回路と、前記第１回路で出力された前記第１電圧および前記電圧出力回路で出力された前記第２電圧のいずれかを選択するＯＲ回路と、前記ＯＲ回路で選択された電圧から矩形波電圧信号である調光信号を生成し、生成された調光信号を調光信号線に出力する第２回路とを備え、前記ＯＲ回路は、電源投入後、前記第２電圧が前記第１電圧よりも高くなる前記所定期間である第１期間では、前記第２電圧を選択し、前記第１電圧が前記第２電圧以上となる前記所定期間の経過後の第２期間では、前記第１電圧を選択することを特徴とする。
請求項６の発明は、請求項５記載の調光信号発生装置において、前記第２電圧は、消灯状態または所定の調光状態に対応する電圧であることを特徴とする。
請求項７の発明は、請求項５または６記載の調光信号発生装置において、前記第１期間は、前記調光信号線に接続される固体光源点灯装置の電源投入後の起動時間長よりも長い時間長であることを特徴とする。
【発明の効果】
【００１２】
本発明によれば、電源投入後の起動時間が短い固体光源点灯装置と組み合わせて使用した場合でも、電源投入直後や電源瞬断・瞬降時に不快な閃光が生じることはない。また、１台の調光信号発生装置により複数台の固体光源点灯装置を調光制御する場合に、照明制御システム全体のコストを低減できる利点がある。
【図面の簡単な説明】
【００１３】
【図１】本発明の調光信号発生装置の実施形態１の回路図である。
【図２】本発明の調光信号発生装置の実施形態１の動作説明図である。
【図３】本発明の調光信号発生装置と組み合わせて用いられる固体光源点灯装置の回路図である。
【図４】本発明の調光信号発生装置を用いた照明制御システムの全体構成を示す回路図である。
【図５】従来例の動作説明図である。
【図６】従来例の動作説明図である。
【発明を実施するための形態】
【００１４】
（実施形態１）
図１は本発明の実施形態１の調光信号発生装置１の回路図である。電源端子ａ１−ａ２には、商用の交流電源が接続される。また、調光信号出力端子ａ３−ａ４には、調光信号線を介して固体光源点灯装置２の調光信号入力端子ｂ３−ｂ４が接続される（図４参照）。
【００１５】
本実施形態の特徴は、図１の破線で囲まれた電圧出力回路１１を付加した点にある。この電圧出力回路１１を除く部分は、特許文献２の第２図回路と同じであり、電源投入後、所定時間の経過後（図２のｔ９）から調光レベルに応じたデューティの矩形波電圧信号を調光信号線に出力する調光信号発生装置となっている。また、図１の電圧出力回路１１は、電源投入後、前記所定時間が経過するまで（図２のｔ７〜ｔ９）に所定の電圧を調光信号線に出力する回路となっている。
【００１６】
以下、図１の回路構成について説明する。電源端子ａ１−ａ２間の交流電圧は降圧トランスＴ１により降圧され、ダイオードブリッジＤＢ２により全波整流され、コンデンサＣ３を充電する。コンデンサＣ３の電圧は三端子レギュレータＩＣ１により定電圧化され、コンデンサＣ４に充電されて、直流低電圧（例えば、約１２Ｖ）の直流電源Ｅ２となる。直流電源Ｅ２により給電される三角波発生回路１２は、所定周波数（例えば約１ｋＨｚ）の三角波電圧を比較器１３の反転入力端子に印加する。
【００１７】
直流電源Ｅ２の電圧は可変抵抗ＶＲ２と半固定抵抗ＶＲ１、ＶＲ３により分圧されて、基準電圧として比較器１３の非反転入力端子に印加される。半固定抵抗ＶＲ１，ＶＲ３は、可変抵抗ＶＲ２から得られる基準電圧の上限値と下限値を決めるものである。
【００１８】
比較器１３の出力端子は、抵抗Ｒ４を介してトランジスタＴｒ２のベースに接続されている。トランジスタＴｒ２のエミッタは直流電源Ｅ２の負極に接続され、コレクタは抵抗Ｒ５を介して直流電源Ｅ２の正極に接続されると共に、トランジスタＴｒ３のベースに接続されている。トランジスタＴｒ３のコレクタは直流電源Ｅ２の正極に接続され、エミッタは抵抗Ｒ６を介して直流電源Ｅ２の負極に接続される共に、抵抗Ｒ７を介してトランジスタＴｒ４のベースに接続されている。トランジスタＴｒ４のコレクタは直流電源Ｅ２の正極に接続され、エミッタは抵抗Ｒ８を介して直流電源Ｅ２の負極に接続されている。そして、抵抗Ｒ８の両端から調光信号が得られる。
【００１９】
つまり、トランジスタＴｒ２と抵抗Ｒ４、Ｒ５によりエミッタ接地型の反転増幅回路を構成しており、トランジスタＴｒ３と抵抗Ｒ６およびトランジスタＴｒ４と抵抗Ｒ７、Ｒ８によりコレクタ接地（エミッタホロア）型のインピーダンス変換回路を構成している。
【００２０】
なお、調光信号発生装置１の出力段にインピーダンス変換回路を配しているのは、固体光源点灯装置２と調光信号発生装置１とを接続する調光信号線が長く延長されることが多いので、調光信号の減衰を防止するために、調光信号を低インピーダンス化しているものである。
【００２１】
以下、調光信号発生装置１の動作について説明する。三角波発生回路１２から得られる三角波電圧が基準電圧以下であるときには、比較器１３の出力端子はＨｉｇｈレベルとなるので、トランジスタＴｒ２はオンとなり、そのコレクタ電位が降下して、調光信号はＬｏｗレベルとなる。一方、三角波発生回路１２から得られる三角波電圧が基準電圧よりも高くなると、比較器１３の出力端子はＬｏｗレベルとなるので、トランジスタＴｒ２はオフとなり、そのコレクタ電位が上昇して、調光信号はＨｉｇｈレベルとなる。これにより、矩形波電圧信号よりなる調光信号が得られる。
【００２２】
基準電圧は可変抵抗ＶＲ２を操作することにより高い電圧から低い電圧までの任意の電圧に設定することができるので、調光信号のオン・デューティは最小値（例えば、５％）から最大値（例えば、９５％）までの任意の大きさに設定することができるものである。
【００２３】
次に、本発明の特徴部分である電圧出力回路１１の回路構成について説明する。降圧トランスＴ１の出力端には、ダイオードＤ３、Ｄ４のアノードが接続されている。ダイオードＤ３、Ｄ４のカソードは共通接続されて、ダイオードブリッジＤＢ２の負極との間に、抵抗Ｒ３とツェナーダイオードＺＤ１とトランジスタＴｒ１よりなる定電圧回路が接続されている。この定電圧回路の出力は、ダイオードＤ５を介してダイオードＤ６のカソード側に出力されている。ダイオードＤ５とＤ６はＯＲ回路を構成しており、電圧出力回路１１の出力電圧と直流電源Ｅ２の出力電圧のうち、いずれか高い方の電圧がトランジスタＴｒ３、Ｔｒ４のコレクタ側に供給されるようになっている。ツェナーダイオードＺＤ１のツェナー電圧は、直流電源Ｅ２の電圧よりも少し低く設定されているので、電源投入直後の直流電源Ｅ２が低い期間では、トランジスタＴｒ１を介する電圧がトランジスタＴｒ３、Ｔｒ４を介して調光信号出力端子ａ３−ａ４に供給される。また、直流電源Ｅ２が上昇して安定すると、その後は、ダイオードＤ５が遮断状態となり、ダイオードＤ６を介して供給される直流電源Ｅ２により調光信号が供給される。
【００２４】
図２は本実施形態の動作説明図である。図２のｔ７で電源がＯＮすると、その直後から電圧出力回路１１を介してダイオードＤ６のカソード側に直流電源Ｅ２よりも少し低い電源電圧が供給される。図２のｔ９で直流電源Ｅ２が供給されて、三角波発生回路１２と比較器１３が動作可能となるまでは、トランジスタＴｒ２がオンしないので、トランジスタＴｒ３、Ｔｒ４よりなるエミッタホロア回路を介して電圧出力回路１１からの電圧が調光信号出力端子ａ３−ａ４に出力される。
【００２５】
電圧出力回路１１は、直流電源Ｅ２のように平滑コンデンサＣ３、Ｃ４を有していないので、交流電源のゼロクロス付近では電圧が出力されない期間が存在するが、電源投入後の時間遅れが無いという特徴を有している。電圧出力回路１１の出力電圧は、交流電源を降圧して全波整流した脈流電圧の山部をツェナーダイオードＺＤ１によりクランプしたような電圧波形となり、本来の調光信号（１ｋＨｚ）に比べると低周波（１００Ｈｚまたは１２０Ｈｚ）ではあるが、消灯状態もしくは所定の低輝度の調光状態に対応する擬似的なＰＷＭ信号として用いることができる。
【００２６】
本発明の調光信号発生回路１では、図２に示すように、電源投入後の所定時間（ｔ７〜ｔ９）では、電圧出力回路１１の電圧が調光信号線に出力されるから、図２のｔ８のタイミングで固体光源点灯装置２が動作を開始したとしても、ｔ８〜ｔ９の期間では、消灯状態もしくは所定の低輝度の調光状態で動作を開始させることができ、不快な閃光が生じることはない。
【００２７】
図１の調光信号発生装置１と組み合わせて使用される固体光源点灯装置２の構成を図３に示す。また、図１の調光信号発生装置１と図３の固体光源点灯装置２を用いた照明制御システムの全体構成を図４に示す。
【００２８】
調光信号発生装置１の電源端子ａ１−ａ２は、交流電源線に接続されて、図４に示すように、電源スイッチＳＷを介して、商用の交流電源Ｖｓ（例えば、ＡＣ１００Ｖ、５０／６０Ｈｚ）に接続される。また、調光信号発生装置１の調光信号出力端子ａ３−ａ４は、調光信号線に接続されて、図４に示すように、固体光源点灯装置２の調光信号入力端子ｂ３−ｂ４に接続される。
【００２９】
固体光源点灯装置２は、図３に示すように、電源端子ｂ１−ｂ２と、調光信号入力端子ｂ３−ｂ４と、負荷端子ｂ５−ｂ６を有している。複数台の固体光源点灯装置２を１台の調光信号発生装置１により制御する場合には、図４に示すように、交流電源線を介して各固体光源点灯装置２の電源端子ｂ１−ｂ２を、調光信号発生装置１の電源端子ａ１−ａ２に接続すると共に、調光信号線を介して各固体光源点灯装置２の調光信号入力端子ｂ３−ｂ４を、調光信号発生装置１の調光信号出力端子ａ３−ａ４に接続するものである。各固体光源点灯装置２の負荷端子ｂ５−ｂ６には、それぞれ固体光源３が接続される。
【００３０】
以下、固体光源点灯装置２の構成について説明する。電源端子ｂ１−ｂ２には、フィルタ回路ＦＬと全波整流器ＤＢを介して昇圧チョッパ回路４が接続されている。昇圧チョッパ回路４は、スイッチング素子Ｑ１とインダクタＬ１、ダイオードＤ１、平滑コンデンサＣ１、電流検出抵抗Ｒ１を含んで構成されている。チョッパ制御回路８４によりスイッチング素子Ｑ１が高周波でオンオフすることにより、平滑コンデンサＣ１に所定の直流電圧Ｖｄｃが生成される。
【００３１】
図３の回路において、昇圧チョッパ回路４とチョッパ制御回路８４は省略しても良く、代わりに平滑コンデンサＣ１により直流電圧Ｖｄｃを生成する構成としても良い。
【００３２】
平滑コンデンサＣ１の直流電圧Ｖｄｃは、降圧チョッパ回路５により電力変換される。降圧チョッパ回路５は、スイッチング素子Ｑ２とインダクタＬ２、ダイオードＤ２、平滑コンデンサＣ２、電流検出抵抗Ｒ２を含んで構成されている。チョッパ制御回路８３によりスイッチング素子Ｑ２が高周波でオンオフすることにより、入力直流電圧Ｖｄｃを降圧した直流電圧が平滑コンデンサＣ２に生成され、固体光源３に直流電流が供給される。固体光源３は、発光ダイオード（ＬＥＤ）や有機ＥＬ素子のような半導体発光素子である。
【００３３】
チョッパ制御回路８３はマイコン８２により制御され、調光信号に応じてスイッチング素子Ｑ２のオンパルス幅を可変とすることにより、固体光源３の光出力を調整したり、スイッチング素子Ｑ２のスイッチング動作を停止させることにより、固体光源３を消灯する制御を可能としている。
【００３４】
本実施形態では、固体光源３に流れる直流電流を制御するためのスイッチング回路として、降圧チョッパ回路５を用いているが、フライバックコンバータ回路や昇圧チョッパ回路、昇降圧チョッパ回路など、他の構成のスイッチング回路を用いても構わない。
【００３５】
図３の固体光源点灯装置２は、固体光源３と共に照明器具に搭載されており、図４に示すように、装置外部の調光信号発生装置１から調光信号線を介して受信される調光信号に応じて固体光源３を調光点灯させる調光機能付きの照明器具として用いられる。
【００３６】
図３の固体光源点灯装置２を搭載した照明器具は、図４に示すように、複数台が商用の交流電源Ｖｓに並列に接続されていても構わない。その場合、各照明器具に対して共通の調光信号発生装置１から並列的に調光信号を供給し、フロア全体の照明器具を１つの調光信号発生装置１により調光制御する照明制御システムを構成しても良い。
【００３７】
調光信号発生装置１から調光信号線を介して伝送される調光信号は、例えば、周波数が約１ｋＨｚ、振幅が１０Ｖ程度の矩形波電圧信号よりなる。この矩形波電圧信号のＯＮデューティ（１周期中に占めるＨｉｇｈレベル期間の割合）は、調光レベルに応じて可変制御される。例えば、ＯＮデューティが０〜ｘ１（％）のとき、光出力は１００％（全点灯状態）となり、ｘ１〜ｘ２（％）のときは、ＯＮデューティが増加するにつれて減少する光出力となり、ｘ２〜１００（％）のとき、光出力が０％（消灯状態）となるように制御される。このような調光信号は、インバータ式の蛍光灯点灯装置（特許文献２参照）の分野において広く用いられており、例えば、ｘ１＝５（％）、ｘ２＝９５（％）程度のものが知られている。
【００３８】
図３の制御回路８では、上述のＯＮデューティ可変の矩形波電圧信号（ＰＷＭ信号）よりなる調光信号を、そのＯＮデューティに応じた振幅のＤＣ電圧信号に変換する信号変換回路８１を備えている。信号変換回路８１は、例えば、波形整形回路と平滑回路よりなる。調光信号発生装置１から調光信号線を介して伝送されて来た調光信号を波形整形し、平滑回路により平滑化して、ＤＣ電圧信号に変換する。このＤＣ電圧信号は、マイコン８２のＡ／Ｄ変換入力端子から取り込まれてデジタル値に変換される。マイコン８２は、内蔵のメモリにデータテーブルを備えており、Ａ／Ｄ変換により取得したデジタル値に応じた光出力の制御信号をチョッパ制御回路８３に送出する。
【００３９】
電源ＯＮ／ＯＦＦ検出回路７は、電源端子ｂ１−ｂ２間の電圧を監視して、電源ＯＮ／ＯＦＦ検出信号を生成し、制御回路８のマイコン８２に入力している。電源ＯＮ／ＯＦＦ検出回路７は、電源端子ｂ１−ｂ２間の交流電源電圧がゼロクロスしただけでは、電源ＯＦＦとは判断しない。電源端子ｂ１−ｂ２間の電圧が、例えば、数サイクル〜十数サイクルにわたり低い状態が継続した場合に、電源ＯＦＦと判断し、電源ＯＮ／ＯＦＦ検出信号の状態を切り替える。
【００４０】
制御電源回路６は、平滑コンデンサＣ１の直流電圧Ｖｄｃから制御電源電圧Ｖｃｃを生成し、制御回路８並びに電源ＯＮ／ＯＦＦ検出回路７に供給する。電源スイッチＳＷのＯＦＦ操作、あるいは交流電源Ｖｓの瞬時停電や瞬時電圧降下により、電源ＯＮ／ＯＦＦ検出信号が電源ＯＦＦを検出している状態に切り替わったとしても、平滑コンデンサＣ１の直流電圧Ｖｄｃが残っている間は、制御電源電圧Ｖｃｃが供給されており、制御回路８並びに電源ＯＮ／ＯＦＦ検出回路７は動作可能である。
【００４１】
調光信号発生装置１は、同じ交流電源Ｖｓから電力供給を受けており、電源がＯＦＦすると、調光信号の出力を停止する。ただし、調光信号発生装置１も内部に制御電源回路（図１のコンデンサＣ３、Ｃ４と三端子レギュレータＩＣ１よりなる回路）を有しているので、図２、図５、図６に示すように、電源がＯＦＦした後、少しの時間遅れを経てから、調光信号が消失する。また、図１の対策回路（電圧出力回路１１）が無いと、電源がＯＮした後、少しの時間遅れ（図５のｔ１〜ｔ２、図６のｔ４〜ｔ６）を経てから、調光信号が発生する。
【００４２】
図５は本発明の対策前の従来例の電源ＯＮ時と電源ＯＦＦ時の動作を示している。電源ＯＮ前は固体光源３は消灯されており、光出力は０％である。また、調光信号は発生していない。
【００４３】
ｔ１のタイミングで電源がＯＮされると、同じ電源に接続された調光信号発生装置１からは、所定時間の経過後に、調光信号が発生する。
ｔ２のタイミングで調光信号が発生した後は、その調光信号により指定される調光レベルに応じた光出力で固体光源３が点灯される。
ｔ３のタイミングで電源がＯＦＦされると、マイコン８２は電源ＯＦＦの検出信号を受けて、固体光源３を直ちに消灯するように制御する。
【００４４】
ここで、問題となるのは、ｔ１〜ｔ２の期間における光出力である。ｔ１のタイミングで電源ＯＮが検出された後、ｔ２のタイミングで調光信号が発生するまでの間は、調光信号のＯＮデューティは０％となるので、固体光源３の光出力は１００％からスタートすることになる。したがって、例えば、ユーザーが調光信号発生装置１の調光つまみを絞った状態（光出力を低く設定した状態）で電源ＯＮの操作をした場合でも、電源ＯＮから所定の短時間は１００％の光出力が生じてしまう。
【００４５】
従来のインバータ式の蛍光灯点灯装置（特許文献２参照）であれば、電源投入後、例えば１秒程度はフィラメントの予熱期間が設定されているので、上述のように、電源ＯＮから所定の短時間は１００％の光出力に設定されていても差し支えない。むしろ調光状態でスタートするよりも全点灯状態でスタートする方が熱陰極型の放電灯の寿命の点では好ましいとさえ言える。このような観点から、従来のインバータ式の蛍光灯点灯装置に適合するように設計された調光器（いわゆるライコン）では、電源ＯＮが検出されてから、蛍光灯の予熱時間に相当する程度の短時間は調光信号を出力しない（ＯＮデューティを０％とする）仕様となっていることが一般的である。
【００４６】
しかしながら、ＬＥＤの調光点灯装置では、熱陰極型の放電灯のような起動時の予熱期間は不要であるので、電源ＯＮの直後から調光信号により指定される調光レベルに応じた光出力で固体光源３を点灯可能である。このため、調光状態で電源ＯＮすると、一瞬、光源が明るく点灯される現象（いわゆる“オンピカ”）が発生する。同様の現象は、電源Ｖｓが瞬時停電した場合や瞬時降下した場合にも、起こり得る。
【００４７】
図６は本発明の対策前の従来例の電源瞬断時の動作を示している。
ｔ３のタイミングで電源のＯＦＦが検出されると、マイコン８２は電源ＯＦＦの検出信号を受けて、固体光源３を直ちに消灯するように制御する。
その後、ｔ４のタイミングで復電すると、マイコン８２は電源ＯＮの検出信号を受けて、固体光源３を調光信号の調光レベルに応じた光出力で点灯させる。
【００４８】
次に、ｔ５のタイミングで調光信号発生装置１の調光信号のＯＮデューティが０％になると、光出力は１００％となる。  
その後、ｔ６のタイミングで調光信号が発生した後は、その調光信号により指定される調光レベルに応じた光出力で固体光源３が点灯される。
【００４９】
ここで、問題となるのは、ｔ５〜ｔ６の期間における光出力である。ｔ５のタイミングで調光信号が消失した後、ｔ６のタイミングで調光信号が発生するまでの間は、調光信号のＯＮデューティは０％となるので、固体光源３の光出力は１００％となる。このため、調光状態で電源Ｖｓが瞬時停電すると、復電時に一瞬、光源が明るく点灯される現象が発生する。
【００５０】
これらの問題を解決するために、本発明では、図２に示すように、電源投入後、所定時間（ｔ７〜ｔ９）が経過するまでに所定の電圧を調光信号線に出力することを特徴とする。
【００５１】
このように制御すれば、図２のｔ７で電源ＯＮされて、ｔ８のタイミングで固体光源点灯装置２が動作を開始したとしても、ｔ８〜ｔ９の期間では、消灯状態もしくは所定の低輝度の調光状態で動作を開始させることができ、不快な閃光が生じることはない。また、図２のｔ３で電源がＯＦＦされた後、短時間で復電した場合でも、復電時に一瞬、光源が明るく点灯される現象が発生することは無くなる。
【００５２】
例えば、図６に示すように、ｔ３のタイミングで電源が一時的にＯＦＦされて、ｔ４のタイミングで直ちに復電したとすると、図１の電圧出力回路１１が無い場合には、ｔ４〜ｔ５の期間では調光レベルに応じた光出力で点灯するものの、ｔ５〜ｔ６の期間では１００％の調光レベルとなることで、瞬時閃光が生じるという問題があった。これに対して、図１の電圧出力回路１１が有る場合には、図６のｔ５〜ｔ６の期間において、図１のｔ７〜ｔ９の期間のような所定の電圧が調光信号線に出力される。これにより、固体光源点灯装置２は、消灯状態もしくは所定の低輝度の調光状態の光出力で動作することになり、不快な瞬時閃光は生じない。
【００５３】
したがって、調光状態で点灯しているときに、電源が瞬時停電した後に、すぐに復電したような場合であっても、一時的に１００％の点灯状態に移行するような不都合は生じない。
【００５４】
なお、所定の光出力は、ユーザーが眩しさを感じない程度の調光レベルに設定しておけば、ユーザーが不快感を感じることは無い。また、所定の光出力は、完全な消灯状態とするよりは、最低限の明るさが確保されるような低輝度の調光状態となるように設定しておけば、特に夜間の照明制御において、ユーザーの不安感を解消することができる。
【符号の説明】
【００５５】
１    調光信号発生装置
１１  電圧出力回路
【図１】
0005861103.tif 000002
【図２】
0005861103.tif 000003
【図３】
0005861103.tif 000004
【図４】
0005861103.tif 000005
【図５】
0005861103.tif 000006
【図６】
0005861103.tif 000007